(57)【特許請求の範囲】
【請求項１】
カメラボディに装着された撮影レンズを通過する被写体からの光を受光し、受光した光の輝度値に対応した画素信号を出力する複数のフォトダイオードを有する撮像部と、
前記被写体からの光を受光し、前記輝度値を検出する輝度値検出手段と、
前記輝度値検出手段によって検出された前記輝度値に基づいて、前記各フォトダイオードに実質的に同一輝度値の光が入射する輝度均一状態になるように報知する報知手段と、
前記輝度均一状態において、前記各フォトダイオードから出力された画素信号のうち、相対的に低輝度値に対応した前記画素信号に対して補正処理を施す補正処理手段とを備えることを特徴とするレンズ交換式電子スチルカメラ。
【請求項２】
前記撮影レンズと前記撮像部との光路上において進退可能に配置される偏向手段と、
前記偏向手段により偏向される光路中であって、前記撮像部のフォトダイオードの受光面と光学的に等価な位置に配置される焦点板とを有し、
前記輝度値検出手段は、前記焦点板上の異なる領域ごとに前記輝度値を検出可能な複数の領域を有するとともに、前記報知手段は、前記各領域で検出された前記輝度値に基づいて、前記輝度均一状態になるような前記カメラボディの姿勢方向を報知することを特徴とする請求項１に記載のレンズ交換式電子スチルカメラ。
【請求項３】
前記撮影レンズの受光面側を覆うように装着可能であり、入射した光を拡散して出射する拡散キャップをさらに有し、
前記輝度値検出手段が、前記拡散キャップにより拡散された光に対して前記輝度値を検出することを特徴とする請求項１に記載のレンズ交換式電子スチルカメラ。
【請求項４】
前記撮影レンズを光軸方向に沿って移動させることにより合焦させる焦点調整手段をさらに有し、
前記輝度値検出手段が、前記撮影レンズを無限遠に合焦させた状態において前記輝度値を検出することを特徴とする請求項１に記載のレンズ交換式電子スチルカメラ。
【請求項５】
前記輝度値検出手段が、前記被写体からの光に対する前記撮像部の適正露出値を算出する露出算出手段を兼ねることを特徴とする請求項１に記載のレンズ交換式電子スチルカメラ。
【請求項６】
前記補正処理手段が、前記相対的に低輝度値に対応した画素信号を、前記各フォトダイオードに入射した実質的に同一輝度値の光に対応した前記画素信号に置き換えることを特徴とする請求項１に記載のレンズ交換式電子スチルカメラ。
【請求項７】
前記報知手段は、方向表示を表示する表示部を有し、前記輝度値検出手段の検出結果に基づいて、前記輝度均一状態になるようなカメラのパン方向対応した方向表示を前記表示部に表示させることを特徴とする請求項１に記載のレンズ交換式電子スチルカメラ。
【発明の詳細な説明】
【０００１】
【発明の属する技術分野】
本発明は、ＣＣＤ等の撮像素子を用いて被写体像のデジタル画像を検出する電子スチルカメラに関する。
【０００２】
【従来の技術】
従来、撮影の目的に応じた様々な交換レンズを装着可能なレンズ交換式カメラが知られている。このようなカメラにおいて、レンズ交換の際にカメラボディ内にゴミが入り、撮影動作を繰り返し行っているうちにシャッタを通過して、シャッタの後方に配置される撮像部に付着する場合がある。ゴミが付着したままの撮像部で撮影を行うと、ゴミが黒点等として写り込み、画質が低下するので、このゴミを除去するクリーニングが必要であった。
【０００３】
レンズ交換式の電子スチルカメラも同様であり、撮像部にゴミが付着した場合はクリーニングが必要であるが、電子スチルカメラには一般に、撮像素子（ＣＣＤ）の受光面側にはモアレ縞発生防止のために光学ローパスフィルタが設けられている。この光学ローパスフィルタは通常、水晶から形成されるので、傷つきやすくゴミの除去が困難であった。
【０００４】
【発明が解決しようとする課題】
本願発明は以上の問題点を解決するものであり、光学ローパスフィルタに付着したゴミが写り込むことなく、撮影可能なレンズ交換式の電子スチルカメラを得ることを目的とする。
【０００５】
【課題を解決するための手段】
本発明のレンズ交換式電子スチルカメラは、カメラボディに装着された撮影レンズを通過する被写体からの光を受光し、受光した光の輝度値に対応した画素信号を出力する複数のフォトダイオードを有する撮像部と、被写体からの光を受光し、輝度値を検出する輝度値検出手段と、輝度値検出手段によって検出された輝度値に基づいて、各フォトダイオードに実質的に同一の輝度値の光が入射する輝度均一状態になるように報知する報知手段と、輝度均一状態において、各フォトダイオードから出力された画素信号のうち、相対的に低輝度値に対応した前記画素信号に対して補正処理を施す補正処理手段とを有することを特徴とする。
【０００６】
好ましくは、撮影レンズと撮像部との光路上において進退可能に配置される偏向手段と、偏向手段により偏向される光路中であって、撮像部のフォトダイオードの受光面と光学的に等価な位置に配置される焦点板とを有し、輝度値検出手段は、焦点板上の異なる領域ごとに輝度値を検出可能な複数の領域を有するとともに、報知手段は、各領域で検出された輝度値に基づいて、輝度均一状態になるようなカメラの姿勢方向を報知する。
【０００７】
好ましくは、撮影レンズの受光面側を覆うように装着可能であり、入射した光を拡散して出射する拡散キャップをさらに備え、輝度値検出手段が、拡散キャップを透過することにより拡散された光に対して輝度値を検出する。
【０００８】
好ましくは、撮影レンズを光軸方向に沿って移動させることにより合焦させる焦点調整手段を備え、輝度値検出手段が、撮影レンズを無限遠に合焦させた状態において輝度値を検出する。
【０００９】
例えば、輝度値検出手段が、被写体からの光に対する撮像部の適正露出値を算出する露出算出手段を兼ねる。
【００１０】
例えば、補正処理手段が、相対的に低輝度値に対応した画素信号を、輝度均一状態におけるフォトダイオードに入射した実質的に同一輝度値で検出された画素信号に置き換えるニアレストネイバー法、バイリニア法、バイキュービック法などにより補正する。
【００１１】
好ましくは、報知手段は、方向表示を表示する表示部を有し、輝度値検出手段の検出結果に基づいて、輝度均一状態になるようなカメラのパン方向対応した方向表示を表示部に表示させる。
【００１２】
【発明の実施の形態】
以下、本発明の実施の形態を図面を参照して説明する。
【００１３】
図１は本実施形態を適用した電子スチルカメラの斜視図である。
【００１４】
電子スチルカメラ１００はレンズ交換式のカメラであり、カメラボディ２０には交換レンズ１０が着脱自在に装着される。カメラボディ２０の上面の中央にはファインダ部２０Ｆが設けられる。ファインダ部２０Ｆの側方には測光動作の開始、および撮影動作の開始に連動するレリーズボタン２１と、後述する撮影モードの設定に用いられるモード設定ダイヤル２２が配設される。モード設定ダイヤル２２では通常撮影モードと、ゴミ補正モードとの２つの撮影モードが選択可能である。
【００１５】
図２は電子スチルカメラ１００の背面を示す図である。
カメラボディ２０の背面には、撮影された静止画像を表示する液晶表示パネル２４が設けられる。またこの液晶表示パネル２４には、ゴミ補正モード選択時において、ユーザに対して電子スチルカメラ１００をパンさせるべき方向を報知するパン方向表示も表示される。ファインダ２０Ｆは接眼レンズ２５を有し、交換レンズ１０を通過した被写体像が接眼レンズ２５を介して観察される。液晶表示パネル２４の側方には、ゴミ補正モード選択時において使用する補正開始ボタン２３が設けられる。
【００１６】
図３は本実施形態を適用したカメラの断面を模式的に示す図である。
交換レンズ１０の鏡胴１１内には撮影レンズ群１２が収容される。鏡胴１１の先端には拡散キャップ１４が着脱自在に装着される。拡散キャップ１４はレンズキャップであり、拡散キャップ１４に入射した光は拡散し、鏡胴１１内に導かれる。また、拡散キャップ１４は、電子スチルカメラ１００を使用しない時にも装着され、撮影レンズ群１２の前面が傷つくことを防ぐ保護キャップとしても用いられる。拡散キャップ１４は、被写体を撮影するときには取り外され、光は鏡胴１１内に直接、導かれる。
【００１７】
撮影レンズ群１２は、フォーカシングレンズを含む複数のレンズからなり、フォーカシングレンズを前後移動させることにより焦点調整が行われる。撮影レンズ群１２の間には絞り１３が設けられる。撮影レンズ群１２に入射した光は、絞り１３により光量調整され、カメラボディ２０内に導かれる。
【００１８】
カメラボディ２０に入射した光は、メインミラー３０に到達する。メインミラー３０は通常、撮影レンズ群１２の光軸ＬＰに対して略４５°に傾斜して設置される。メインミラー３０は一部の光を反射し、他の光を透過させるハーフミラーである。したがってメインミラー３０に到達した光のうち、一部の光は反射されて上方のファインダ部２０Ｆ方向に導かれ、他の光はメインミラー３０を透過する。
【００１９】
メインミラー３０の背面にはサブミラー３１が一体的に設けられる。サブミラー３１はメインミラー３０に対して略直角に固定される。メインミラー３０を透過した光はサブミラー３１で全反射され、ＡＦモジュール３２に導かれる。ＡＦモジュール３２は、セパレータレンズ（図示せず）により２つの像を結像させる。この２つの像の位相差から撮影レンズ群１２の合焦位置等が検出される。
【００２０】
メインミラー３０によりファインダ部２０Ｆ方向に反射された光は焦点板３３に到達し、焦点板３３上で被写体像が結像される。この被写体像はペンタプリズム３４に導かれて正立像に変換され、接眼レンズ２５を介して観察される。また焦点板３３上の被写体像はペンタプリズム３４により測光素子３５に導かれる。測光素子３５では被写体像の輝度値が測定され、この輝度値に基づいて適正露出値が算出される。
【００２１】
メインミラー３０、サブミラー３１後方の光軸ＬＰ上には撮像素子としてＣＣＤ３６が設けられる。ＣＣＤには、受光量に応じた画素信号を出力する複数のフォトダイオードが２次元的に配置される。ＣＣＤ３６の受光面側には、モアレ縞の発生の原因となる高周波の光成分をカットする光学ローパスフィルタ３７が一体的に設けられる。
【００２２】
光軸ＬＰ上におけるメインミラー３０と光学ローパスフィルタ３７の間にはシャッタ３８が設けられ、シャッタ３８によりＣＣＤ３６および光学ローパスフィルタ３７が遮光される。シャッタ３８は先幕と後幕から構成されるフォーカルプレーンシャッタである。
【００２３】
レリーズボタン２１（図１参照）が全押しされると、メインミラー３０はミラー支軸部３０Ａを中心として矢印Ｘ方向に跳ね上げられる。これによりメインミラー３０は、光軸ＬＰ上から退避し焦点板３３に平行になるように定められる。退避したメインミラー３０により、焦点板３３は撮影レンズ群１２からの光から遮断され、被写体像はファインダ部２０Ｆから観察されなくなる。また、レリーズボタン２１の全押しに連動して、シャッタ３８が動作する。以上により、撮影レンズ群１２を通過した光は光学ローパスフィルタ３７に到達し、光学ローパスフィルタ３７により高周波数の光成分がカットされた光がＣＣＤ３６に導かれる。
【００２４】
図４は測光素子３５の受光面を示す図である。
測光素子３５は被写体の輝度を測定する光起電素子である。測光素子３５に受光された光は電気信号に変換され、輝度値が検出される。この輝度値に基づいて、被写体に対する適正露出値が算出され、シャッタスピード値、絞り値が設定される。本実施形態では測光素子３５による測光方式として分割測光方式が採用される。すなわち、図４に示すように測光素子３５は第１〜第６領域３５Ａ〜３５Ｆに分割され、それぞれの領域毎に輝度値が得られる。この分割測光方式を採用することにより、被写体像全体の輝度値に基づいた適正露出値を得ることができる。
【００２５】
次に本実施形態で実行される撮影モードについて説明する。
本実施形態では、モード設定ダイヤル２２の操作により通常撮影モードとゴミ補正モードが選択可能である。通常撮影モードでは通常の撮影動作が実行される。すなわち、レリーズボタン２１が全押しされると、ＣＣＤ３６の各フォトダイオードでは受光量に応じた画素信号が検出され、ＣＣＤ３６から被写体像の１フレーム分の画像信号が出力され、この画像信号に対応した静止画像がそのまま表示、記録等される。
【００２６】
一方、ゴミ補正モードでは、ＣＣＤ３６から出力された画像信号の中から、ゴミが付着した部分に対応するフォトダイオードから検出された画素信号が検出され、この画素信号について補正処理が施される。この補正処理の施された画素信号を含む、画像信号に対応した静止画像が表示、記録等される。
【００２７】
ゴミ補正モードにおけるゴミが付着した部分に対応するフォトダイオードは、輝度値の差によって検出される。すなわち、光学ローパスフィルタ３７にゴミの付着した部分では、撮影レンズ群１２からの光はゴミにより遮られる。したがってゴミの付着した部分では、撮影レンズ群１２からの光が到達する部分（ゴミの付着していない部分）と比較すると、低輝度値の画素信号が検出される。そこで、ゴミ補正モードでは、各フォトダイオードに略均一な輝度値の光が入射するように調整し、この状態において相対的に低輝度値に対応する画素信号が検出されたフォトダイオードをゴミの付着した部分に対応するフォトダイオードであるとみなして、補正処理の対象とする。
【００２８】
各フォトダイオードに略均一な輝度値の光を受光させるために、本実施形態では測光素子３５を用いて輝度値の分布調整する。すなわち、図４に示す測光素子３５の各領域３５Ａ〜３５Ｆ毎に輝度値を測定し、領域３５Ａ〜領域３５Ｆの全てにおいて略均一な輝度値を検出した時にＣＣＤ３６を露光させる。
【００２９】
ゴミ補正モードにおける輝度値の分布調整時には、図３に示すように鏡胴１１の先端に拡散キャップ１４が装着され、交換レンズ１０に入射する光は拡散される。また交換レンズ１０に入射した光は撮影レンズ群１２の光軸に対して平行に進むようには撮影レンズ群１２の焦点調整は無限遠に設定される。これにより、拡散キャップ１４の装着された交換レンズ１０には、均一の輝度値の光が入射しやすくなる。
【００３０】
拡散キャップ１４を介してカメラボディ２０内に入射した光は、測光素子３５の各領域３５Ａ〜３５Ｆで輝度値が測定される。各領域３５Ａ〜３５Ｆにおいて略均一の輝度値が検出されると、メインミラー３０が跳ね上げられ、シャッタ３８が動作し、ＣＣＤ３６が露光される。光学ローパスフィルタ３７にゴミが付着していない場合、各フォトダイオードでは略同一輝度値の画素信号が検出される。一方、光学ローパスフィルタ３７にゴミが付着している場合、ゴミが付着した部分に対応するフォトダイオードでは相対的に低輝度値の画素信号が検出される。このフォトダイオードの位置が補正データとして設定される。以上のように、検出された画素信号の輝度値を比較することによりゴミが付着した部分に対応するフォトダイオードの位置を確認することができる。
【００３１】
ゴミ補正モードにおける撮影時には、設定された補正データに基づいて補正処理が実行される。すなわち、拡散キャップ１４が装着されていない状態で撮影され、各フォトダイオードで検出された画素信号のうち、補正データにより指定されたフォトダイオ−ドで検出された画素信号は補正されて画像信号が生成される。本実施形態では、補正方式としてニアレストネイバー法を採用し、補正の対象となる画素信号は、補正対象となっていない画素信号から演算される補正画素信号に置き換えられる。
【００３２】
図５は電子スチルカメラ１００の回路構成を模式的に示すブロック図である。ＣＰＵ（図示せず）が設けられたシステムコントロール回路４０は電子スチルカメラ１００全体を制御する回路であり、測光スイッチ４１Ａ、レリーズスイッチ４１Ｂ、モード設定スイッチ４３、補正開始スイッチ４２の各回路、メインスイッチＭが接続されている。またシステムコントロール回路４０にはＤＣ／ＤＣコンバータ４４を介して電池４５が接続されており、システムコントロール回路４０により電池４５からの電源が各回路に供給される。
【００３３】
レリーズボタン２１の半押しに連動する測光スイッチ４１Ａがオン状態に定められると測光動作および合焦位置検出動作が実行される。すなわち測光素子３５で検出された被写体の輝度値に応じた輝度信号が露出制御回路４６に送られ、システムコントロール回路４０の制御により、被写体に応じた適正露出値が算出される。またＡＦモジュール３２で検出される画像信号に基づいて、システムコントロール回路４０で被写体の合焦位置が検出され、撮影レンズ群１２のフォーカスレンズがＡＦ駆動機構４８によって駆動される。
【００３４】
レリーズボタン２１の全押しに連動するレリーズボタン４１Ｂがオン状態に定められると、静止画像を記録するための動作が実行される。まず、システムコントロール回路４０により絞り１３が絞り駆動機構４７を介して所定の絞り口径となるまで駆動される。次にシステムコントロール回路４０から制御信号がミラー駆動回路４９へ送られ、ミラー駆動回路４９によりメインミラー３０が光軸ＬＰ上から退避させられる。また露出制御回路４６の算出結果に基づいてシャッタ駆動回路５０がシャッタ３６を所定時間駆動する。これにより撮影レンズ群１２を通過した光は光学ローパスフィルタ３７、ＣＣＤ３６に到達する。
【００３５】
ＣＣＤ３６の各フォトダイオードでは光電変換によって受光量に応じた画素信号が発生し、発生した１フレーム分の画像信号は、クロックジェネレータ５１で発生するクロック信号に基づいてＣＣＤドライバ５２により読み出され、アンプ回路５３に送られる。アンプ回路５３では、画像信号は増幅されてＡ／Ｄ変換器５４へ送られる。Ａ／Ｄ変換器５４ではアナログの画像信号がデジタルの画像信号に変換され、信号処理回路５５に送られる。信号処理回路５５ではデジタルの画像信号に対してガンマ補正等の処理が施され、補正処理回路５６に送られる。補正処理回路５６では補正データに基づいて補正対象画素に対して補正処理が施される。
【００３６】
補正処理回路５６では、後述するようにメモリ回路４０Ｍに記憶された補正データに基づいて画像信号に補正処理が施され、圧縮回路５６に送られる。圧縮回路５７において画像信号は非圧縮または圧縮処理され、処理された画像信号は記録回路５８において記録媒体（図示せず）に記録される。また補正処理回路５６で補正処理が施された画像信号はシステムコントロール回路４０を介して液晶表示パネル２４に送られ、画像信号に対応した画像が表示される。
【００３７】
モード設定ダイヤル２２においてゴミ補正モードが選択され、かつ補正開始ボタン２３が押下されると、補正開始スイッチ４２がオン状態にされ補正データの検出処理が開始される。測光素子３５において検出された輝度信号が露出制御回路４６を介してシステムコントロール回路４０に送られる。システムコントロール回路４０では検出された輝度信号に基づいて、輝度分布を演算する。輝度分布の演算結果に基づいて、警告音発生回路５８、液晶表示パネル２４が駆動する。警告音発生回路５８はシステムコントロール回路の制御により、後述する第１、第２の警告音を発生する。
【００３８】
システムコントロール回路４０で輝度値の分布が略均一であると検出されると、撮影時と同様にメインミラー３０が跳ね上げられ、シャッタ３８が全開されてＣＣＤ３６が露光される。ＣＣＤ３６から出力される画像信号はアンプ回路５４、露出制御回路４６を介してシステムコントロール回路４０に入力される。システムコントロール回路４０ではこの画像信号から補正データを設定し、メモリ回路４０Ｍに一時的に格納する。
【００３９】
補正データはシステムコントロール回路４０により読み出され、補正処理回路５６において、補正データに基づいて画像信号の補正処理が実行される。すなわち補正処理の対象である画素信号を、近傍に位置するフォトダイオードの出力に基づいて演算された画素信号に置き換えることにより補正処理が施される。
【００４０】
システムコントロール回路４０に接続されるメインスイッチＭは、測光スイッチ４１Ａ、レリーズスイッチ４１Ｂ、モード切替スイッチ４２、補正開始スイッチ４３が５秒間操作されない場合に自動的にオフ状態に切り替えられる。メインスイッチＭがオフ状態になると、システムコントロール回路４０の制御により液晶表示パネル２４に電源が供給されなくなる省電力状態に切り替えられる。
【００４１】
なお、交換レンズ１０とカメラボディ２０の装着マウント部には、絞り駆動機構４７、ＡＦ駆動機構４８の連係稈（図示せず）の他に、データ通信用の接点ピン（図示せず）が配置されており、交換レンズ１０がカメラボディ２０に装着されると、これら接点ピンを介して交換レンズ１０内のメモリ（図示せず）に格納されている光学情報等の授受が行なわれる。
【００４２】
図６は本実施形態の撮影動作のメインルーチンを示すフローチャートである。
電源スイッチ（図示せず）がオン状態にされると、ステップＳ１０１において、メインスイッチＭがオン状態に定められているか否かが判定される。メインスイッチＭがオフ状態のときは、ステップＳ１１８にスキップし、省電力状態が維持される。
【００４３】
メインスイッチＭがオン状態であると判定された場合、ステップＳ１０２において省電力状態は解除され、液晶表示パネル２４が表示される。ステップＳ１０３において、モード設定ダイヤル２２により設定されているモードがシステムコントロール回路４０に入力される。
【００４４】
ステップＳ１０４では、選択されているモードがゴミ補正モードか否かが判定される。ゴミ補正モードではなく、補正処理を行わない通常撮影モードが選択されているときはステップＳ１０５において、補正処理実行の有無を表す補正処理動作フラグＦＣについて補正処理を実行しないことを示す０に定められ、ステップＳ１１６の撮影動作に移行する。一方、ゴミ補正モードであると判定されたときは、ステップＳ１０６において補正開始スイッチ４２がオン状態か否かが判定される。すなわち以前に設定した補正データを変更するか否かが判定される。補正開始スイッチ４２がオン状態でないと判定されたときは、ステップＳ１１６に移行し、すでに設定されている補正データに基づいて撮像動作が実行される。
【００４５】
補正開始スイッチ４２がオン状態であると判定されると補正データの検出処理の動作に移行する。ステップＳ１０７において交換レンズ１０が装着されているか否かが判定される。交換レンズ１０が装着されていないと判定されたときは、ステップＳ１０８において警告音発生回路５８から第１の警告音が発生し、ユーザに交換レンズ１０が装着されていないことが警告される。ステップＳ１０９において第１の警告音が発生してから所定時間経過したか否かが判定され、所定時間経過していない場合はステップＳ１０７に戻る。すなわち、交換レンズ１０が装着されるか、または第１の警告音が発生してから所定時間経過するまで、ステップＳ１０７〜Ｓ１０９までのループは実行される。ステップＳ１０９において、第１の警告音が発生してから所定時間経過したと判定された場合は、ステップＳ１１８にスキップし、省電力状態に定められる。
【００４６】
ステップＳ１０７において交換レンズ１０が装着されていると判定された場合はステップＳ１１０において、輝度値分布の検出処理が実行される。すなわち測光素子３５の各領域３５Ａ〜３５Ｆにおいて輝度値が検出され、輝度値分布が確認される。
【００４７】
ステップＳ１１１において測光素子３５で検出された輝度値分布が許容範囲内にあるか否かが判定される。許容範囲内にない場合はステップＳ１１２において警告音発生回路５８から第２の警告音が発生し、ユーザに撮影レンズ群１２に入射する光の輝度分布が一定でないことが警告される。ステップＳ１１３において第２の警告音が発生してから所定時間経過したか否かが判定され、所定時間経過していない場合はステップＳ１１０に戻る。すなわち、交換レンズ１０に入射する光の輝度値分布が略同一にされるか、または第２の警告音が発生してから所定時間経過するまで、ステップＳ１１０〜ステップＳ１１３までのループは実行される。ステップＳ１１３において第２の警告音が発生してから所定時間経過したと判定された場合はステップＳ１１８にスキップし、省電力状態に定められる。
【００４８】
一方、ステップＳ１１１において測光素子３５で検出された輝度値分布が許容範囲内にあると判定された場合は、ステップＳ１１４において、低輝度値に検出された画素信号に対応するフォトダイオード、すなわちゴミが付着している部分に対応するフォトダイオードが確認され、補正データとして設定される。ステップＳ１１５では補正動作の有無を表す補正処理動作フラグＦＣが、補正処理動作を実行することを示す１に定められる。以上により補正データの検出処理の動作は終了する。
【００４９】
ステップＳ１１６では撮影動作が実行され、静止画像が記録媒体に記録される。通常撮影モードが設定されている場合は、撮影された画像は補正処理されずに記録されるが、ゴミ補正モードが設定されている場合は、撮影された画像は補正データに基づいて補正処理が施されて記録される。ステップＳ１１７ではメインスイッチＭがオフ状態に定められたか否かが判定される。メインスイッチＭがオフ状態であると判定されると省電力状態に定められ、メインルーチンは終了する。メインスイッチＭがオフ状態でないと判定された場合はステップＳ１０３に戻る。
【００５０】
図７は図６のステップＳ１１０においてコールされる輝度値分布検出のサブルーチンの処理手順を示すフローチャートである。
図６のステップＳ１１０において輝度値分布の検出処理がスタートすると、ステップＳ２０１において測光素子３５の各領域３５Ａ〜３５Ｆの各領域で検出された輝度値の差が許容範囲内にあるか否かを表す輝度分布フラグＦＤについて、許容範囲内にないことを示す０に定められる。また後述するエラー確認フラグＦＥが０に定められる。ステップＳ２０２において液晶表示パネル２４に表示されるパン方向表示データがリセットされる。
【００５１】
ステップＳ２０３では測光素子３５の中央付近の領域である第１領域３５Ａ〜第５領域３５Ｅで測定された輝度値と、中央付近から離れた領域である第６領域３５Ｆで測定された輝度値との差が許容範囲αよも小さいか否かが判定される。輝度値の差が許容範囲αより小さいと判定されたときは、ステップＳ２０４において測光素子３５の中央領域である第１領域３５Ａで測定された輝度値と、中央付近の領域におけるその他の各領域３５Ｂ〜３５Ｅで測定された輝度値との差が許容範囲βより小さいか否かが判定される。第１領域３５Ａとその他の領域３５Ｂ〜３５Ｅとの輝度値の差がそれぞれ許容範囲βより小さいと判定されると、ステップＳ２３０において輝度分布フラグＦＤについて、輝度値の差が許容範囲内にあることを示す１に定められ、その後図６のメインルーチンに戻る。
【００５２】
ステップＳ２０３、またはステップＳ２０４において、輝度値の差が許容範囲α、βより小さくないと判定されたときは、ステップＳ２０５以降においてパン方向表示データの検出が実行される。ステップＳ２０５では、第４領域３５Ｄの輝度値が第５領域３５Ｅの輝度値よりも大きいか否かが判定される。第４領域３５Ｄの輝度値の方が大きいと判定されたときはステップＳ２０６において、電子スチルカメラ１００を第４領域３５Ｄ方向である左方向にパンさせるように、液晶表示パネル２４に左方向矢印が表示される。その後ステップＳ２１１に進む。
【００５３】
ステップＳ２０５において第４領域３５Ｄの輝度値が第５領域３５Ｅの輝度値より大きくないと判定されたときは、ステップＳ２０７において第４領域３５Ｄの輝度値が第５領域の輝度値より小さいか否かが判定される。第４領域３５Ｄの輝度値が小さいと判定されたときはステップＳ２０８において、電子スチルカメラ１００を第５領域３５Ｅ方向である右方向にパンさせるように、液晶表示パネル２４に右方向矢印が表示される。その後ステップＳ２１１に進む
【００５４】
ステップＳ２０７において第４領域３５Ｄの輝度値が第５領域３５Ｅの輝度値より小さくないと判定されたときは、ステップＳ２０５での判定結果と合わせて第４領域３５Ｄと第５領域３５Ｅとの輝度値は同じであるとみなされ、ステップＳ２０９に進む。ステップＳ２０９では、第４領域３５Ｄの輝度値と第５領域３５Ｅの輝度値が同じか否かを表すエラー確認フラグＦＥが、同じ輝度値であることを示す１に定められ、その後ステップＳ２１１に進む。
【００５５】
ステップＳ２１１では第２領域３５Ｂの輝度値が第３領域３５Ｃの輝度値よりも大きいか否かが判定される。第２領域３５Ｂの輝度値の方が大きいと判定されたときはステップＳ２１２において、電子スチルカメラ１００を第２領域３５Ｂ方向である上方向にパンさせるように、液晶表示パネル２４に上方向矢印が表示される。その後、図６のメインルーチンに戻る。
【００５６】
ステップＳ２１１において第２領域３５Ｂの輝度値が第３領域３５Ｃの輝度値より大きくないと判定されたときは、ステップＳ２１３において第２領域３５Ｂの輝度値が第３領域３５Ｃの輝度値より小さいか否かが判定される。第２領域３５Ｄの輝度値が小さいと判定されたときはステップＳ２１４において、電子スチルカメラ１００を第３領域３５Ｃ方向である下方向にパンさせるように、液晶表示パネル２４に下方向矢印が表示される。その後、図６のメインルーチンに戻る。
【００５７】
ステップＳ２１３において第２領域３５Ｂの輝度値が第３領域３５Ｃの輝度値より小さくないと判定されたときは、ステップＳ２１１での判定結果と合わせて第２領域３５Ｂの輝度値と第３領域３５Ｃの輝度値は同じであるとみなされ、ステップＳ２１５に進む。ステップＳ２１５では、エラー確認フラグＦＥが１に定められているか否かが判定される。エラー確認フラグＦＥが１に定められていないとき、すなわち第４領域３５Ｄの輝度値と第５領域３５Ｅとの輝度値が異なるときは、ステップＳ２１６において、液晶表示パネル２４上には上下方向の矢印は表示されずに、ステップＳ２０６またはステップＳ２０８において設定された左または右方向パン表示のみが表示される。その後、図６のメインルーチンに戻る。
【００５８】
ステップＳ２１５において、エラー確認フラグＦＥが１に定められていると判定されたとき、すなわち第４領域３５Ｄの輝度値と第５領域３５Ｅとの輝度値が同じであるときは、ステップＳ２１７において第２領域３５Ｂの輝度値が第５領域３５Ｅの輝度値より小さいか否か、すなわち縦方向の領域（第２領域３５Ｂと第３領域３５Ｃ）の輝度値が、横方向の領域（第４領域３５Ｄと第５領域３５Ｅ）の輝度値が比較される。第２領域３５Ｂの輝度値が小さいと判定されたとき、すなわち、縦方向の領域の輝度値が横方向の輝度値より小さいときは、光源が横方向に偏っているため、ステップＳ２１８において電子スチルカメラ１００を上方向または下方向にパンさせるように液晶表示パネル２４に、上および下方向矢印が点滅表示される。
【００５９】
一方、ステップＳ２１７において第２領域３５Ｂの輝度値が小さくないと判定されたときはステップＳ２１９において、第２領域３５Ｂの輝度値が第５領域３５Ｅの輝度値より大きいか否か、すなわち縦方向の領域が横方向の領域より大きいか否かが判定される。第２領域３５Ｂの輝度値が第５領域３５Ｅの輝度値より大きいと判定されたとき、すなわち縦方向の領域の輝度値が横方向の領域の輝度値より大きいと判定されたときは、光源が縦方向に偏っているため、ステップＳ２２０において電子スチルカメラ１００を右方向または左方向にパンさせるように、液晶表示パネル２４に右および左方向矢印が点滅表示される。
【００６０】
一方、ステップＳ２１９において第２領域３５Ｂの輝度値が第５領域３５Ｅの輝度値より大きくないと判定されたときは、ステップＳ２１７での判定結果と合わせて、縦方向の領域の輝度値と横方向の領域（第２領域３４Ｂから第５領域３５Ｅ）の輝度値が全て同じであるとみなされる。この状態はステップＳ２０３またはステップＳ２０４の判定結果と矛盾する。すなわち、上述のようにステップＳ２０３において中央付近の領域である第１領域３４Ａ〜第５領域３５Ｅで測定された輝度値と、中央付近から離れた領域である第６領域３５Ｆで測定された輝度値との差が許容範囲αよりも大きいと判定され、またはステップＳ２０４において中央領域である第１領域３５Ａの輝度値と、その他の各領域３５Ｂ〜３５Ｅで測定された輝度値と差が許容範囲βより大きいと判定された場合にステップＳ２０５以降のパン方向表示データの検出が実行される。したがって、第２領域３５Ｂ〜第５領域３５Ｅの輝度値が同じである場合は、中央付近からはなれた第６領域３５Ｆだけが局所的に輝度値が異なる状態、または中央の第１領域３５Ａだけが局所的に輝度値が異なる状態と推定される。よってステップＳ２２２においてパン方向表示が不可能であることを示す上下左右方向矢印が点滅表示される。その後、図６のメインルーチンに戻る。
【００６１】
図８は図６のステップＳ１１６においてコールされる撮影動作のサブルーチンの処理手順を示すフローチャートである。
撮影動作が開始されるとステップＳ３０１において、測光スイッチ４１Ａがオン状態に定められているか否かが判定される。測光スイッチ４１Ａがオン状態でないと判定されるとステップＳ３０４にスキップする。測光スイッチ４１Ａがオン状態であると判定されるとステップＳ３０２にいて、測光素子３５により測光動作が行われ、またＡＦモジュール３２により合焦位置検出動作が行われる。ステップＳ３０３では、ステップＳ３０２において検出された被写体の輝度値に応じた適正露出値が検出され、シャッタスピード値、絞り値が設定される。
【００６２】
ステップＳ３０４ではレリーズスイッチ４１Ｂがオン状態か否かが判定される。レリーズスイッチ４１Ｂがオン状態でないと判定されたときは、ステップＳ３０１に戻る。レリーズスイッチ４１Ｂがオン状態であると判定されたときはステップＳ３０５において、露光制御が行われ、ステップＳ３０６でＣＣＤ３６から画像信号が出力される。
【００６３】
ステップＳ３０７において補正処理動作フラグＦＣが１に定められているか否かが判定される。すなわち、ゴミ補正モードか否かが判定される。補正処理動作フラグＦＣが０であり通常撮影モードであると判定されたときはステップＳ３０９にスキップする。補正処理動作フラグＦＣが１でありゴミ補正モードであると判定されたときはステップＳ３０８で補正データが読み出され、補正処理が実行される。
【００６４】
ステップＳ３０９では画像信号に対して圧縮処理等の処理が施され、ステップＳ３１０において記録媒体に記録される。以上により撮影動作は終了し、図６のメインルーチンに戻る。
【００６５】
なお、本実施形態においては、測光素子３５よってＣＣＤ３６の受光の輝度値分布を調整したが、拡散キャップ１４に入射した光をＣＣＤ３６において直接受光することにより輝度値分布を調整してもよい。すなわち、拡散キャップ１４を透過した光がＣＣＤ３６に直接入射するように、メインミラー３０を光軸ＬＰ上から退避させ、シャッタ３８を全開させて、さらに光学ローパスフィルタ３７を光軸上から退避させるように制御する。その後ＣＣＤ３６の受光面全体で略同一の輝度値が検出されたら、光学ローパスフィルタ３７を介してＣＣＤ３６で光を受光する。この場合においても、光学ローパスフィルタ３７のゴミが付着した部分に対応するフォトダイオードからは相対的に低輝度値に対応する画素信号が検出されるので、ゴミの付着している位置を確認することが可能である。
【００６６】
【発明の効果】
以上のように、本発明によれば光学ローパスフィルタに付着したゴミが写り込むことなく、撮影可能なレンズ交換式の電子スチルカメラを得ることができる。
【図面の簡単な説明】
【図１】本実施形態を適用したレンズ交換式電子スチルカメラの斜視図である。
【図２】レンズ交換式電子スチルカメラを背面からみた図である。
【図３】レンズ交換式電子スチルカメラの断面を模式的に示す図である。
【図４】測光素子の受光面を示す図である。
【図５】レンズ交換式電子スチルカメラの回路構成を示すブロック図である。
【図６】撮影動作のメインルーチンを示すフローチャートである。
【図７】輝度値分布検出処理を示すフローチャートである。
【図８】撮影動作のサブルーチンを示すフローチャートである。
【符号の説明】
１０  交換レンズ
１３  絞り
１４  拡散キャップ
２２  モード設定ダイヤル
２３  補正開始ボタン
２４  液晶表示パネル
３５  測光素子
３６  ＣＣＤ
３７  光学ローパスフィルタ
５６  補正処理回路
【図１】
0003863723.tif 000002
【図２】
0003863723.tif 000003
【図３】
0003863723.tif 000004
【図４】
0003863723.tif 000005
【図５】
0003863723.tif 000006
【図６】
0003863723.tif 000007
【図７】
0003863723.tif 000008
【図８】
0003863723.tif 000009